(57)【要約】      （修正有）【課題】操作が容易で中途で巻取りを停止できるコンピュータ用ケーブルの自動ケーブルリールを提供する。【解決手段】上蓋１、下蓋２、ボタン３、スプリング、位置決め蓋５、渦巻スプリング、ケーブル回収スタンド７を含み、ボタンに設置された段状の延長ピンの留め金は円周方向に沿った楔形留め金であり、前記ケーブル回収スタンド７は上向きに外円周方向に沿って２つの対応する楔形ピンを設置し、渦巻スプリングの弛緩方向にボタンの楔形留め金とケーブル回収スタンドの楔形ピンの厚い縁が対向して近づき、コンピュータ用ケーブルが取り付けられると、引っ張る過程で渦巻スプリングが収縮してスプリング作用で左右に引っ張ることができ、適度な長さまで引っ張って手を緩めると反対方向に係止される。ボタンが下向きに押されると、ボタンの楔形留め金とケーブル回収スタンドの楔形ピンは拘束を解かれて、渦巻スプリングは弛緩してコンピュータ用ケーブルを巻き取る。【選択図】図２
0003155994.tif 000002
【実用新案登録請求の範囲】
【請求項１】
上蓋、下蓋、ボタン、スプリング、位置決め蓋、渦巻スプリング、ケーブル回収スタンドを含むコンピュータ用ケーブルの自動ケーブルリールであって、
上蓋と下蓋は位置決めガイド支柱により合体させ、
前記位置決め蓋は２つの係止部を設け、位置決め蓋は係止部によって上蓋と共に係止され、
ボタンの２つの段状の延長ピンは上蓋の開口と位置決め蓋を通じて滑動するように上蓋内に係止し、
スプリングは上蓋とボタンの間に当接するように設置し、
上蓋の中心には内向きに延長支柱を設置し、延長支柱の末端にはスロットを設けて、スロットとケーブル回収スタンドに設置した渦巻スプリングはケーブル回収スタンドを上蓋と下蓋で囲まれたスペース内に配置し、
前記ボタンに設置された段状の延長ピンの留め金は円周方向に沿った楔形留め金であり、
前記ケーブル回収スタンドには上向きに外円周方向に沿って２つの対応する楔形ピンを設置し、
渦巻スプリングの弛緩方向にボタンの楔形留め金とケーブル回収スタンドの楔形ピンの厚い縁が対向して近づくことを特徴とするコンピュータ用ケーブルの自動ケーブルリール。
【請求項２】
前記ケーブル回収スタンドはコンピュータ用ケーブルを配置するための切欠を設けることを特徴とする請求項１に記載のコンピュータ用ケーブルの自動ケーブルリール。
【請求項３】
前記上蓋と下蓋が合体されてコンピュータ用ケーブルの出入口を提供することを特徴とする請求項１に記載のコンピュータ用ケーブルの自動ケーブルリール。
【考案の詳細な説明】
【技術分野】
【０００１】
本考案はコンピュータハードウェアの応用分野に関し、特にコンピュータ用ケーブルの自動ケーブルリールに関する。
【背景技術】
【０００２】
マウス、キーボード、ＵＳＢインターフェイス等のコンピュータ周辺機器は、ユーザーが使用に理想とする長さにするために、使用中によく接続ケーブルの長さを調整する必要があり、このためケーブルリールでユーザーのニーズに応えているのだが、現在使用されているケーブルリールには以下の欠点がある。ケーブルリールがコンピュータ用ケーブルを延長方向にそれに応じて即座に引っ張ったり止めたりすることができず、さらには係止し難い状況まで起きて、繰り返して引っ張る操作をしなければならない。また、コンピュータ用ケーブルを巻き取るケーブルリールは、コンピュータ用ケーブルを極限まで引っ張らないと完全に巻き取ることができず、時として繰り返し何度も引っ張らないとケーブルが巻き取れず、スペース不足や配線が乱れている環境では操作が不便極まりない。
【考案の概要】
【考案が解決しようとする課題】
【０００３】
本考案の目的は上記の問題について、特にコンピュータ用ケーブルの自動ケーブルリールを提供することにある。
【課題を解決するための手段】
【０００４】
上記の目的を達するため、本考案は以下の技術方法を採用する。
【０００５】
上蓋、下蓋、ボタン、スプリング、位置決め蓋、渦巻スプリング、ケーブル回収スタンドを含むコンピュータ用ケーブルの自動ケーブルリールであって、上蓋と下蓋は位置決めガイド支柱により合体させ、前記位置決め蓋は２つの係止部を設け、位置決め蓋は係止部によって上蓋と共に係止され、ボタン上の２つの段状の延長ピンは上蓋の開口と位置決め蓋を通じて滑動するように上蓋内に係止し、スプリングは上蓋とボタンの間に当接するように設置し、上蓋の中心には内向きに延長支柱を設置し、延長支柱の末端にはスロットを設けて、スロットとケーブル回収スタンドに設置した渦巻スプリングはケーブル回収スタンドを上蓋と下蓋で囲まれたスペース内に配置し、前記ボタンに設置された段状の延長ピンの留め金は円周方向に沿った楔形留め金であり、前記ケーブル回収スタンドには上向きに外円周方向に沿って２つの対応する楔形ピンを設置し、渦巻スプリングの弛緩方向にボタンの楔形留め金とケーブル回収スタンドの楔形ピンの厚い縁が対向して近づく。
【０００６】
前記ケーブル回収スタンドはコンピュータ用ケーブルを配置するための切欠を設ける。
【０００７】
前記上蓋と下蓋が合体されてコンピュータ用ケーブルの出入口を提供する。
【考案の効果】
【０００８】
本考案の有益な効果は次の通りである。上蓋、下蓋、ボタン、スプリング、位置決め蓋、渦巻スプリング、ケーブル回収スタンドによって構成されたコンピュータ用ケーブルの自動ケーブルリールにおいて、まず、ボタンが下向きに押されていない状態では、渦巻スプリングの弛緩方向にボタンの楔形留め金とケーブル回収スタンドの楔形ピンの厚い縁同士が対向して近い位置にあるため、互いに拘束されている。ここで、コンピュータ用ケーブルを引っ張る過程に移ると、渦巻スプリングが収縮するが、ボタンの楔形留め金とケーブル回収スタンドの楔形ピンの２つの薄い楔の縁同士が対向して近い位置にあり、互いに拘束しないので、スプリング作用に関わらずコンピュータ用ケーブルを左右に引っ張ることができる。適度な長さまで引っ張って手を緩めると、スプリング作用と渦巻スプリング作用とで、ボタンの楔形留め金とケーブル回収スタンドの楔形ピンの厚い縁同士が対向して近い位置に来て互いを拘束するので、反対方向に係止される。ボタンが下向きに押されると、ボタンの楔形留め金とケーブル回収スタンドの楔形ピンは拘束を解かれて、渦巻スプリングは弛緩してコンピュータ用ケーブルを巻き取る。適当な位置に達したときにボタンを押すのを止めると、ボタンの楔形留め金が上記拘束状態へ復位することによって、ケーブル回収スタンドの楔形ピンが巻き取り方向の回転を制限する。本考案は随意にコンピュータ用ケーブルの長さを調整することができ、巻き取る過程で随時コンピュータ用ケーブルの巻き取りを停止することができ、しかも操作が容易で構造が簡単である。
【図面の簡単な説明】
【０００９】
【図１】本考案の分解概略図である。
【図２】本考案の構造の概略図である。
【図３】本考案のボタン構造の概略図である。
【図４】本考案の上蓋構造の概略図である。
【図５】本考案のケーブル回収スタンド構造の概略図である。
【考案を実施するための形態】
【００１０】
下記に添付図面と併せて本考案についてさらに順序立てて説明する。図１から図５はコンピュータ用ケーブルの自動ケーブルリールを示しており、上蓋１、下蓋２、ボタン３、スプリング４、位置決め蓋５、渦巻スプリング６、ケーブル回収スタンド７を含む。上蓋１、下蓋２は位置決めガイド支柱１２により合体させ、前記位置決め蓋５は２つの係止部５１を設け、位置決め蓋５は係止部５１によって上蓋１と共に係止され、ボタン３の２つの段状の延長ピン３１が上蓋１の開口１３と位置決め蓋５を通じて上蓋１内に滑動して係止され、スプリング４は上蓋１とボタン３の間に当接して設置する。上蓋１の中心には内向きの延長支柱１４を設置し、延長支柱１４の末端にはスロット１５を設置し、スロット１５とケーブル回収スタンド７に設置した渦巻スプリング６は、ケーブル回収スタンド７を上蓋１と下蓋２で囲まれたスペース内に配置する。
【００１１】
前記ボタン３に設置した段状の延長ピン３１の留め金は円周方向に沿った楔形留め金３２であって、前記ケーブル回収スタンド７には上向きに外円周方向に沿って２つの対応する楔形ピン７１を設置し、渦巻スプリング６の弛緩方向にボタン３の楔形留め金３２とケーブル回収スタンド７の楔形ピン７１の厚い縁同士が対向して近づく。
【００１２】
ケーブル回収スタンド７はコンピュータ用ケーブルを配置するための切欠７２を設ける。上蓋１と下蓋２が合体されてコンピュータ用ケーブルの出入口２１を提供し、コンピュータ用ケーブルが切欠７２内に係止されて出入り口２１から出入りする。
【００１３】
まず、ボタン３が下向きに押されていない状態では、渦巻スプリング６の弛緩方向にボタン３の楔形留め金３２とケーブル回収スタンド７の楔形ピン７１の厚い縁同士が対向して近い位置にあるため、互いに拘束されている。ここで、コンピュータ用ケーブルを本考案に係る自動ケーブルリールに取り付けて、ユーザーが手でコンピュータ用ケーブルを引っ張る過程に移ると、渦巻スプリング６が収縮する。このとき、ボタン３の楔形留め金３２とケーブル回収スタンド７の楔形ピン７１の２つの薄い楔の縁同士が対向して近い位置にあり、互いに拘束しないので、スプリング４と渦巻スプリング６の作用に関わらず回転は係止されず、コンピュータ用ケーブルを左右に引っ張ることができる。その後、適度な長さまで引っ張って手を緩めると、スプリング４と渦巻スプリング６の作用で、ボタン３の楔形留め金３２とケーブル回収スタンド７の楔形ピン７１の厚い縁同士が対向して近い位置に来て互いを拘束するので、コンピュータ用ケーブルを引っ張り出すのとは反対の方向に係止される。したがって、コンピュータ用ケーブルは、必要な長さ以上に出て来ることがない。
【００１４】
ボタン３がユーザーによって下向きに押されると、ボタン３の楔形留め金３２とケーブル回収スタンド７の楔形ピン７１は拘束を解かれて、渦巻スプリング６は弛緩してコンピュータ用ケーブルを巻き取る。適当な位置に達したときに、ボタンを押すのを止めると、ボタン３の楔形留め金３２とケーブル回収スタンド７の楔形ピン７１が上記拘束状態へ復位することによって、ケーブル回収スタンド７の楔形ピン７１が巻き取り方向の回転を制限し、回転を停止させる目的を達する。本考案は随意にコンピュータ用ケーブルの長さを調整することができ、巻き取る過程で随時コンピュータ用ケーブルの巻き取りを停止することができ、しかも操作が容易で構造が簡単である。
【００１５】
以上記述した実施例は本考案の好ましい実施例に過ぎず、本考案の実施範囲を限定するものではなく、従って本実用新案登録請求の範囲で述べた構造、特徴及び原理によって行った均等な変化若しくは修正についても、全て本実用新案登録請求の範囲内とする。
【産業上の利用可能性】
【００１６】
本考案は、コンピュータハードウェアの応用分野に関し、特にコンピュータ用ケーブルの自動ケーブルリールに利用することができる。
【符号の説明】
【００１７】
１  上蓋
１２  位置決めガイド支柱
１３  開口
１４  延長支柱
１５  スロット
２  下蓋
２１  出入口
３  ボタン
３１  段状の延長ピン
３２  楔形留め金
４  スプリング
５  位置決め蓋
５１  係止部
６  渦巻スプリング
７  ケーブル回収スタンド
７１  楔形ピン
７２  切欠
【図１】
0003155994.tif 000003
【図２】
0003155994.tif 000004
【図３】
0003155994.tif 000005
【図４】
0003155994.tif 000006
【図５】
0003155994.tif 000007